(57)【要約】【課題】太陽電池モジュールが出力する電力を外部へ供給させるか又は遮断することを制御できる光発電システムを提供する。【解決手段】光発電システム１０は、光発電した電力を出力する太陽電池モジュール１１ａ〜１１ｆと、開閉することにより、太陽電池モジュール１１ａ〜１１ｆが出力する電力を外部へ供給させるか又は遮断するスイッチ１２ａ〜１２ｆと、スイッチ１２ａ〜１２ｆの開閉を制御する制御部１３と、を備える。【選択図】図１
2015126009.tif 000002
【特許請求の範囲】
【請求項１】
光発電した電力を出力する太陽電池モジュールと、
開閉することにより、前記太陽電池モジュールが出力する電力を外部へ供給させるか又は遮断するスイッチと、
前記スイッチの開閉を制御する制御部と、
を備える光発電システム。
【請求項２】
前記太陽電池モジュールは、発電した直流電力を外部へ供給する２本の配線と接続されており、
２本の配線それぞれと接続する前記スイッチを備える請求項１に記載の光発電システム。
【請求項３】
前記制御部は、機械的手段を用いて、前記スイッチを制御する請求項１又は２に記載の光発電システム。
【請求項４】
前記制御部は、ワイヤを駆動して、前記スイッチを開閉する請求項３に記載の光発電システム。
【請求項５】
前記制御部は、電気信号を用いて、前記スイッチを制御する請求項１又は２に記載の光発電システム。
【請求項６】
前記制御部は、電気信号を用いて、電気モータを駆動して、前記スイッチを開閉する請求項５に記載の光発電システム。
【請求項７】
前記スイッチの開閉状態を表示する表示部を備える請求項１〜６の何れか一項に記載の光発電システム。
【請求項８】
前記制御部は、火災を検知した火災報知器が出力する検知信号を受信すると、前記スイッチを開けるように前記スイッチを制御する請求項１〜７の何れか一項に記載の光発電システム。
【請求項９】
前記太陽電池モジュールは、発電した直流電力を交流電力に変換するインバータと接続されており、
前記スイッチは、前記太陽電池モジュールと前記インバータとの間に配置される請求項１〜８の何れか一項に記載の光発電システム。
【請求項１０】
前記スイッチは、前記太陽電池モジュールに隣接して配置される請求項１〜９の何れか一項に記載の光発電システム。
【請求項１１】
前記スイッチは、前記太陽電池モジュールと一体に形成される請求項１〜９の何れか一項に記載の光発電システム。
【発明の詳細な説明】
【技術分野】
【０００１】
本発明は、光発電システムに関する。
【背景技術】
【０００２】
従来、太陽電池モジュールを用いた光発電システムが利用されている。光発電システムは、例えば、複数の太陽電池モジュールが住宅等の屋根に設置されて、太陽光を受けて発電する。
【０００３】
一般住宅の場合には、例えば晴天時で３ｋＷ程度の電力を発生する光発電システムが利用されている。３ｋＷの発電能力を有する光発電システムは、電圧２００Ｖ、電流１５Ａの電力を出力し得る。
【０００４】
太陽電池モジュールは、天候の状態によって影響を受けるものの、光を受光していれば発電しており、太陽電池モジュールの出力端子には電圧が発生する。
【０００５】
光発電システムを備えた住宅が火災を生じた時には、火災を消火する消火活動が行われるが、この消火活動において、太陽電池モジュールにより発電した電気による感電を受けないような対策を行うことが求められる。
【０００６】
光発電システムは、発電した直流電力を交流電力に変換するインバータを有するパワーコンディショナを備えている。パワーコンディショナは、変換した交流電力を分電盤に供給する。パワーコンディショナは、停電等の異常が生じた時に、交流電力を分電盤に供給することを停止する機能を有するものがある。そこで、パワーコンディショナに対して、火災を生じた時に、交流電力を分電盤に供給することを停止する機能を追加することが考えられる。
【０００７】
しかし、太陽電池モジュールとパワーコンディショナとの間には、太陽電池モジュールが発電した電力が供給された状態にあるので、太陽電池モジュールとパワーコンディショナとを接続する配線に触れることにより、感電するおそれがある。
【０００８】
そこで、特許文献１では、太陽電池モジュールの出力コードに温度ヒューズを接続し、火災時には、火災の熱により温度ヒューズを溶断して、太陽電池モジュールの出力を遮断することが提案されている。
【０００９】
また、特許文献２では、太陽電池モジュールの電気配線に感熱配線遮断手段を配置し、火災時には、火災の熱により感熱配線遮断手段が、太陽電池モジュールの電気配線を遮断して、太陽電池モジュールの出力を遮断することが提案されている。
【先行技術文献】
【特許文献】
【００１０】
【特許文献１】特開平１１−４０８３８号公報
【特許文献２】特開２０００−２００９１９号公報
【発明の概要】
【発明が解決しようとする課題】
【００１１】
上述した太陽電池モジュールの出力を遮断する方法では、太陽電池モジュール又は太陽電池モジュールの近傍の温度が上昇して、はじめて太陽電池モジュールの出力が遮断される。
【００１２】
しかし、火災時において、火災の熱が、太陽電池モジュール又は太陽電池モジュールの近傍に伝わるとは限らない。
【００１３】
例えば、日本の場合、太陽電池モジュールは、住宅の屋根の南面に設置されるが、家屋の北側の一部分に火災が発生した場合には、火災の熱が、太陽電池モジュール又は太陽電池モジュールの近傍に伝わらない可能性がある。
【００１４】
一方、太陽電池モジュールは、光を受光していれば発電しており、太陽電池モジュールの出力端子には電圧が発生している。消火活動において、消防士は、住宅の屋根に穴を形成し、形成した穴を用いて住宅内部に注水して、消火を行う場合がある。火災が鎮火した後には、消防士は、形成した穴から屋根裏等の住宅内部に入って、鎮火した状態の確認を行う。
【００１５】
ここで、太陽電池モジュールが発電していると、消防士が、太陽電池モジュールが発電した電力を供給する配線に触れて感電するおそれがある。
【００１６】
また、太陽電池モジュールの保守を行う時にも、太陽電池モジュールが発電した電力を外部に出力することを遮断して、保守を行う作業者が感電することを防止することが求められる
【００１７】
そこで、本明細書では、太陽電池モジュールが出力する電力を外部へ供給させるか又は遮断することを制御できる光発電システムを提供することを課題とする。
【課題を解決するための手段】
【００１８】
本明細書に開示する光発電システムによれば、光発電した電力を出力する太陽電池モジュールと、開閉することにより、前記太陽電池モジュールが出力する電力を外部へ供給させるか又は遮断するスイッチと、前記スイッチの開閉を制御する制御部と、を備える。
【発明の効果】
【００１９】
上述した本明細書に開示する光発電システムによれば、太陽電池モジュールが出力する電力を外部へ供給させるか又は遮断することを制御できる。
【図面の簡単な説明】
【００２０】
【図１】本明細書に開示する光発電システムの第１実施形態を示す図である。
【図２】第１実施形態の光発電システムの動作を説明する図である。
【図３】本明細書に開示する光発電システムの第２実施形態を示す図である。
【図４】第２実施形態の光発電システムの動作を説明する図（その１）である。
【図５】第２実施形態の光発電システムの動作を説明する図（その２）である。
【図６】本明細書に開示する光発電システムの第３実施形態の要部を示す図である。
【図７】本明細書に開示する光発電システムの変形例１を示す図である。
【図８】本明細書に開示する光発電システムの変形例２を示す図である。
【図９】本明細書に開示する光発電システムの変形例３を示す図である。
【図１０】本明細書に開示する光発電システムの変形例４を示す図である。
【発明を実施するための形態】
【００２１】
以下、本明細書で開示する光発電システムの好ましい第１実施形態を、図を参照して説明する。但し、本発明の技術範囲はそれらの実施形態に限定されず、特許請求の範囲に記載された発明とその均等物に及ぶものである。
【００２２】
図１は、本明細書に開示する光発電システムの第１実施形態を示す図である。
【００２３】
本実施形態の光発電システム１０は、光発電した電力を出力する複数の太陽電池モジュール１１ａ〜１１ｆと、開閉することにより、太陽電池モジュールが出力する電力を外部へ供給させるか又は遮断するスイッチ１２ａ〜１２ｆと、スイッチ１２ａ〜１２ｆの開閉を制御する制御部１３を備える。
【００２４】
太陽電池モジュール１１ａ〜１１ｆは、直列又は並列に接続された１つ又は複数の太陽電池素子、及び太陽電池素子が発電した電力を外部へ取り出す出力端子等を有し、屋根等に設置可能にモジュール化されている。
【００２５】
各太陽電池モジュール１１ａ〜１１ｆは、発電した直流電力を外部へ供給する２本の配線Ｌと接続される。２本の配線Ｌそれぞれは、一のスイッチと接続する。
【００２６】
光発電システム１０では、複数の太陽電池モジュール１１ａ〜１１ｆは、配線Ｌ及びスイッチ１２ａ〜１２ｆを介して、直列に接続される。
【００２７】
太陽電池モジュール１１ａ〜１１ｆが発電した直流電力は、直流電力を交流電力に変換するインバータを有するパワーコンディショナ１５において、交流電力に変換される。
【００２８】
パワーコンディショナ１５は、変換した交流電力を分電盤１６に出力する。分電盤１６は、パワーコンディショナ１５から入力した交流電力及び屋外の送電線１７から供給される交流電力を、例えば、住宅内の電力配線に供給する。また、分電盤１６は、パワーコンディショナ１５から入力した交流電力を、屋外の送電線１７に供給する。
【００２９】
光発電システム１０では、制御部１３は、機械的手段を用いて、スイッチ１２ａ〜１２ｆを制御する。具体的には、制御部１３は、レバー１３ａと、レバー１３ａの操作により、駆動されるワイヤ１３ｂを有する。
【００３０】
ワイヤ１３ｂは、レバー１３ａから、スイッチ１２ａ〜１２ｆを挿通して、スイッチ１２ｇまで延びている。
【００３１】
操作者がレバー１３ａを操作することにより、ワイヤ１３ｂが駆動されて、全てのスイッチ１２ａ〜１２ｆの開閉が制御される。
【００３２】
太陽電池モジュール１１ａ〜１１ｆが発電した電力を出力する２本の配線Ｌそれぞれは、スイッチ１２ａ〜１２ｆを介して、スイッチの外部に供給される。
【００３３】
制御部１３が、全てのスイッチ１２ａ〜１２ｆを開けることにより、各太陽電池モジュール１１ａ〜１１ｆの発電した電力が、スイッチから先へ供給されることが遮断される。
【００３４】
スイッチ１２ａは、太陽電池モジュール１１ａとパワーコンディショナ１５との間に配置され、スイッチ１２ｇは、太陽電池モジュール１１ｆとパワーコンディショナ１５との間に配置される。
【００３５】
制御部１３が、全てのスイッチ１２ａ〜１２ｆを開けることにより、スイッチ１２ａとパワーコンディショナ１５との間の配線Ｌ、及び、スイッチ１２ｇとパワーコンディショナ１５との間の配線Ｌへの電力の供給が停止される。
【００３６】
また、光発電システム１０は、スイッチ１２ａ〜１２ｆの開閉状態を表示する表示部１４を備える。レバー１３ａがスイッチ１２ａ〜１２ｆを開の状態にする位置にあるときには、表示部１４は「開」又は遮断を意味する内容を表示し、一方、レバー１３ａがスイッチ１２ａ〜１２ｆを閉の状態にする位置にあるときには、表示部１４は「閉」又は通電を意味する内容を表示する。
【００３７】
複数の太陽電池モジュール１１ａ〜１１ｆは、例えば、住宅の屋根に設置され、レバー１３ａは、住宅の外壁等、操作者がすぐに操作可能な場所に設置されることが好ましい。
【００３８】
スイッチ１２ａ〜１２ｆは、複数の太陽電池モジュール１１ａ〜１１ｆと共に、住宅の屋根に設置されても良いし、屋根裏等の住宅の内部に設置されても良い。
【００３９】
光発電システム１０では、太陽電池モジュール１１ａ〜１１ｆが出力する電力を外部へ供給することを遮断する時に、制御部１３を動作させて、スイッチ１２ａ〜１２ｆを開の状態にする。
【００４０】
このような場合としては、例えば、火災が発生した時、太陽電池モジュール又は太陽電池モジュールが設置された屋根の保守を行う時、又は、配線Ｌが設置された屋根裏等の住宅内部の保守を行う時等が挙げられる。スイッチ１２ａ〜１２ｆを開の状態にすることにより、消防士、又は、保守を行う作業者が、太陽電池モジュールが発電した電気に触れて感電することを防止する。
【００４１】
なお、スイッチ１２ａ〜１２ｆを開の状態にしても、太陽電池モジュール１１ａ〜１１ｆが発電している状態では、太陽電池モジュール１１ａ〜１１ｆとスイッチ１２ａ〜１２ｆとの間を接続する配線Ｌには電力が供給される。
【００４２】
そこで、太陽電池モジュール１１ａ〜１１ｆとスイッチ１２ａ〜１２ｆとの間を接続する配線Ｌの部分で感電することを防止する観点から、スイッチ１２ａ〜１２ｆを、太陽電池モジュールに隣接して配置することが好ましい。太陽電池モジュール１１ａ〜１１ｆとスイッチ１２ａ〜１２ｆとの間を接続する配線Ｌの長さを短くすることにより、この配線Ｌの部分で感電することを防止できる。
【００４３】
次に、スイッチの構造及び動作を、図２（Ａ）〜図２（Ｃ）を参照して、以下に説明する。図２（Ａ）〜図２（Ｃ）は、太陽電池モジュール１１ａと太陽電池モジュール１１ｂとの間に配置されるスイッチ１２ｂを説明する。全てのスイッチ１２ａ〜１２ｆは同じ構造を有しているので、スイッチ１２ｂの説明は、他のスイッチに対しても適宜適用される。
【００４４】
図２（Ａ）に示すように、スイッチ１２ｂは、太陽電池モジュール１１ａから延びる配線Ｌと接続する端子２１と、太陽電池モジュール１１ｂから延びる配線Ｌと接続する端子２２と、端子２１と端子２２とを電気的に接続可能な回転部材２３を有する。回転部材２３は、導電性を有し、支点２３ａを中心に回転することにより、端子２１と端子２２とを電気的に接続可能である。
【００４５】
図２（Ａ）は、スイッチ１２ｂが閉の状態を示しており、回転部材２３が、端子２１と端子２２とを電気的に接続することにより、太陽電池モジュール１１ａと太陽電池モジュール１１ｂとが接続されている。
【００４６】
また、スイッチ１２ｂの内部には、ワイヤ１３ｂが挿通されている。ワイヤ１３ｂと回転部材２３とは、ワイヤ１３ｂの動きにより回転部材２３を回転させるように駆動する駆動部材２４により連結されている。
【００４７】
図２（Ｂ）は、スイッチ１２ｂが開の状態を示している。
【００４８】
レバー１３ａをスイッチが開の状態になる方向へ操作することにより、ワイヤ１３ｂが駆動されると、ワイヤ１３ｂと駆動部材２４により連結された回転部材２３が支点２３ａを中心に回転して、回転部材２３と端子２１及び端子２２との電気的な接続が切断される。このようにして、太陽電池モジュール１１ａと太陽電池モジュール１１ｂとの間の電気的な接続が遮断される。
【００４９】
図２（Ｃ）は、スイッチ１２ｂが閉の状態を示している。
【００５０】
レバー１３ａをスイッチが閉の状態になる方向へ操作することにより、ワイヤ１３ｂが駆動されると、ワイヤ１３ｂと駆動部材２４により連結された回転部材２３が支点２３ａを中心に回転して、端子２１と端子２２とが回転部材２３により電気的に接続される。
【００５１】
上述した本実施形態の光発電システムによれば、太陽電池モジュールが出力する電力を外部へ供給させるか又は遮断することを制御できる。本実施形態では、制御部が、機械的手段を用いて、スイッチを制御するので、火災等により、送電線からの電力の供給が停止した状態でも、スイッチを制御できる。
【００５２】
次に、上述した光発電システムの第２及び第３実施形態を、図３〜図６を参照しながら以下に説明する。第２及び第３実施形態について特に説明しない点については、上述の第１実施形態に関して詳述した説明が適宜適用される。また、同一の構成要素には同一の符号を付してある。
【００５３】
図３は、本明細書に開示する光発電システムの第２実施形態を示す図である。
【００５４】
本実施形態の光発電システム１０は、上述した第１実施形態に対して、制御部１３及びスイッチ１２ａ〜１２ｇの構成が異なっている。
【００５５】
まず、制御部１３について、以下に説明する。
【００５６】
制御部１３は、電気信号を用いて、スイッチ１２ａ〜１２ｇを制御する。具体的には、制御部１３は、操作者により操作される制御ボタン１３ｄ、制御ボタン１３ｄの操作により電気信号を生成する制御部本体１３ｃと、生成した電気信号をスイッチ１２ａ〜１２ｇに伝送する一対の信号線１３ｅ、１３ｆを有する。
【００５７】
制御部本体１３ｃは、制御ボタン１３ｄが操作される度に、スイッチ１２ａ〜１２ｇを開の状態にする電気信号と、スイッチ１２ａ〜１２ｇを閉の状態にする電気信号とを交互に生成する。
【００５８】
一対の信号線１３ｅ、１３ｆは、制御部本体１３ｃから、各スイッチ１２ａ〜１２ｇに延びており、電気信号が並列に送信される。
【００５９】
操作者が制御ボタン１３ｄを操作することにより、制御部本体１３ｃは、電気信号を生成し、一対の信号線１３ｄ、１３ｅを伝送した電気信号により、スイッチ１２ａ〜１２ｇが有する電気モータが駆動されて、全てのスイッチ１２ａ〜１２ｆの開閉が制御される。本明細書では、制御部本体１３ｃが電気信号を生成することには、電気モータを駆動する電力を供給することが含まれる。
【００６０】
また、光発電システム１０は、火災を検知した火災報知器１８が出力する検知信号を受信すると、全てのスイッチ１２ａ〜１２ｆを開けるようにスイッチを制御する。
【００６１】
次に、スイッチの構造及び動作を、図４及び図５を参照して、以下に説明する。図４及び図５は、太陽電池モジュール１１ａと太陽電池モジュール１１ｂとの間に配置されるスイッチ１２ｂを説明する。全てのスイッチ１２ａ〜１２ｆは同じ構造を有しているので、スイッチ１２ｂの説明は、他のスイッチに対しても適宜適用される。
【００６２】
図４（Ａ）に示すように、スイッチ１２ｂは、太陽電池モジュール１１ａから延びる配線Ｌと接続する端子２１と、太陽電池モジュール１１ｂから延びる配線Ｌと接続する端子２２と、接続レバー２７ａが駆動されることにより、端子２１と端子２２とを電気的に接続可能な接続部２７を有する。
【００６３】
また、スイッチ１２ｂは、回転することにより接続レバー２７ａを駆動する駆動部材２６と、駆動部材２６を回転させる電気モータ２５を有する。電気モータ２５には、一対の信号線１３ｄ、１３ｅが接続される。
【００６４】
図４（Ａ）は、スイッチ１２ｂが閉の状態を示しており、接続レバー２７ａが端子２１と端子２２とを電気的に接続する状態に位置しており、接続部２７が、端子２１と端子２２とを電気的に接続することにより、太陽電池モジュール１１ａと太陽電池モジュール１１ｂとが接続されている。
【００６５】
図４（Ｂ）は、スイッチ１２ｂが開の状態を示している。
【００６６】
制御ボタン１３ｄが操作されることにより、制御部本体１３ｃは、スイッチ１２ｂを開の状態にする電気信号を生成する。生成された電気信号は、一対の信号線１３ｅ、１３ｆを伝送して、スイッチ１２ｂが有する電気モータ２５を駆動する。電気モータ２５は、駆動部材２６を回転させて、接続レバー２７ａを駆動する。接続レバー２７ａが駆動された接続部２７は、端子２１と端子２２との間の電気的な接続を切断する。
【００６７】
図５は、スイッチ１２ｂが閉の状態を示している。
【００６８】
制御ボタン１３ｄが操作されることにより、制御部本体１３ｃは、スイッチ１２ｂを閉の状態にする電気信号を生成する。生成した電気信号は、一対の信号線１３ｅ、１３ｆを伝送して、スイッチ１２ｂが有する電気モータ２５を駆動する。電気モータ２５は、駆動部材２６を回転させて、接続レバー２７ａを駆動する。接続レバー２７ａが駆動された接続部２７は、端子２１と端子２２との間を電気的に接続する。
【００６９】
上述した本実施形態の光発電システム１０によれば、太陽電池モジュールが出力する電力を外部へ供給させるか又は遮断することを制御できる。
【００７０】
本実施形態では、制御部が、火災報知器が出力する検知信号を受信すると、スイッチを開けるようにスイッチを制御するので、制御ボタンが操作されなくても、自動的にスイッチを制御できる。
【００７１】
次に、本明細書に開示する光発電システムの第３実施形態を以下に説明する。
【００７２】
図６は、本明細書に開示する光発電システムの第３実施形態の要部を示す図である。
【００７３】
本実施形態の光発電システム１０は、制御部１３が、電気信号を用いて、スイッチ１２ａ〜１２ｇを制御することは、上述した第２実施形態と同様であるが、スイッチの構造及び動作が上述した第２実施形態とは異なっている。本実施形態は、スイッチの構造以外の構成は、第２実施形態と同様である。
【００７４】
次に、スイッチの構造及び動作を、図６を参照して、以下に説明する。図６は、太陽電池モジュール１１ａと太陽電池モジュール１１ｂとの間に配置されるスイッチ１２ｂを説明する。全てのスイッチ１２ａ〜１２ｆは同じ構造を有しているので、スイッチ１２ｂの説明は、他のスイッチに対しても適宜適用される。
【００７５】
図６（Ａ）に示すように、スイッチ１２ｂは、太陽電池モジュール１１ａから延びる配線Ｌと接続する端子２１と、太陽電池モジュール１１ｂから延びる配線Ｌと接続する端子２２と、端子２１と端子２２とを電気的に接続可能な電磁スイッチ２８を有する。
【００７６】
図６（Ａ）は、スイッチ１２ｂが閉の状態を示している。電磁スイッチ２８は、端子２１と端子２２との間を電気的に接続する。
【００７７】
図６（Ｂ）は、スイッチ１２ｂが開の状態を示している。
【００７８】
制御ボタン１３ｄが操作されることにより、制御部本体１３ｃは、スイッチ１２ｂを開の状態にする電気信号を生成する。生成された電気信号は、一対の信号線１３ｅ、１３ｆを伝送して、スイッチ１２ｂの電磁スイッチ２８を駆動する。駆動された電磁スイッチ２８は、端子２１と端子２２との間の電気的な接続を切断する。
【００７９】
更に、制御ボタン１３ｄが操作されることにより、制御部本体１３ｃは、スイッチ１２ｂを閉の状態にする電気信号を生成する。生成した電気信号は、一対の信号線１３ｅ、１３ｆを伝送して、スイッチ１２ｂの電磁スイッチ２８を駆動する。駆動された電磁スイッチ２８は、端子２１と端子２２との間を電気的に接続して、図６（Ａ）の状態に戻る。
【００８０】
上述した本実施形態の光発電システムによれば、太陽電池モジュールが出力する電力を外部へ供給させるか又は遮断することを制御できる。
【００８１】
本実施形態のスイッチ１２ｂは、電磁スイッチを用いて回路の開閉を行うので、スイッチ１２ｂの構成が簡単になり、耐久性が向上する。
【００８２】
本実施形態では、スイッチ１２ｂは、電磁スイッチを有していたが、スイッチ１２ｂは、トランジスタ等のスイッチング素子を有していても良い。
【００８３】
本発明では、上述した実施形態の光発電システムは、本発明の趣旨を逸脱しない限り適宜変更が可能である。また、一の実施形態が有する構成要件は、他の実施形態にも適宜適用することができる。
【００８４】
例えば、上述した第１実施形態では、スイッチは、太陽電池モジュールと太陽電池モジュールとの間に配置されていたが、スイッチは、直列に接続された太陽電池モジュールの出力を外部へ供給する配線だけに接続されていれば良い。
【００８５】
図７は、本明細書に開示する光発電システムの変形例１を示す図である。
【００８６】
変形例１の太陽電池モジュール１０では、スイッチ１２ａが、太陽電池モジュール１１ａの出力を外部へ供給する配線Ｌに接続され、スイッチ１２ｂが、太陽電池モジュール１１ｇの出力を外部へ供給する配線Ｌに接続されているが、太陽電池モジュールと太陽電池モジュールとの間には、スイッチが配置されない。
【００８７】
図８は、本明細書に開示する光発電システムの変形例２を示す図である。
【００８８】
同様に、上述した第２実施形態では、スイッチは、太陽電池モジュールと太陽電池モジュールとの間に配置されていたが、図８に示すように、スイッチは、直列に接続された太陽電池モジュールの出力を外部へ供給する配線だけに接続されていれば良い。
【００８９】
図９は、本明細書に開示する光発電システムの変形例３を示す図である。
【００９０】
図９に示す光発電システム１０では、各太陽電池モジュール１１ａは、発電した直流電力を外部へ供給する２本の配線Ｌ１を有し、２本の配線Ｌ１それぞれは、スイッチ１２ａ、１２ｂと接続する。同様に、光発電システム１０は、太陽電池モジュール１１ｂが発電した直流電力を外部へ供給する２本の配線Ｌ１を有し、２本の配線Ｌ１それぞれは、スイッチ１２ｃ、１２ｄと接続する。
【００９１】
スイッチ１２ｂとスイッチ１２ｃとは、配線Ｌ２により接続される。
【００９２】
太陽電池モジュール１１ａとスイッチ１２ｂを接続する配線Ｌ１の長さ及び太陽電池モジュール１１ｂとスイッチ１２ｃを接続する配線Ｌ１の長さは、配線Ｌ２の長さを調整することにより、適宜短くすることが可能である。
【００９３】
図９に示す光発電システム１０では、スイッチ１２ａ〜１２ｄを、太陽電池モジュール１１ａ、１１ｂにより隣接して配置することにより、配線Ｌ１の長さをより短くかくすることができる。従って、この配線Ｌ１の部分で感電することを一層防止することが可能になる。
【００９４】
また、上述した第１実施形態では、光発電システムは、火災報知器を備えていなかったが、火災報知器を配置して、火災を検知した火災報知器が出力する検知信号を受信すると、レバーがスイッチを閉じるようにスイッチを制御するようにしても良い。
【００９５】
更に、上述した各実施形態では、太陽電池モジュールとスイッチとは配線を介して接続されているが、図１０に示すように、スイッチは、太陽電池モジュールと一体に形成されていても良い。このような構成によれば、外部へ露出する配線を用いることなく、太陽電池モジュールとスイッチとを接続できる。
【符号の説明】
【００９６】
１０    光発電システム
１１ａ〜１１ｆ    太陽電池モジュール
１２ａ〜１２ｇ    スイッチ
２１    端子
２２    端子
２３    回転部材
２３ａ    支点
２４    駆動部材
２５    電気モータ
２６    駆動部材
２７    接続部
２７ａ    接続レバー
２８    電磁スイッチ
１３    制御部
１３ａ    レバー
１３ｂ    ワイヤ
１３ｃ    制御部本体
１３ｄ    制御ボタン
１３ｅ    信号線
１３ｆ    信号線
１４    表示部
１５    パワーコンディショナ
１６    分電盤
１７    送電線
１８    火災報知器
Ｌ    配線
【図１】
2015126009.tif 000003
【図２】
2015126009.tif 000004
【図３】
2015126009.tif 000005
【図４】
2015126009.tif 000006
【図５】
2015126009.tif 000007
【図６】
2015126009.tif 000008
【図７】
2015126009.tif 000009
【図８】
2015126009.tif 000010
【図９】
2015126009.tif 000011
【図１０】
2015126009.tif 000012